(57)【要約】【課題】この作業者の負担を低減することができる状態維持補助上着を提供すること【解決手段】状態維持補助上着１は、作業者を所望の姿勢に維持することを助けることが可能な胴部分２と、作業者の腕部を所定の形状に維持することを助けることが可能な腕部分３（右腕部分３Ｒ、左腕部分３Ｌ）と、を有する、架空配電線の間接活線作業を行う際に装着され作業者の手首部まで腕部分３が伸びている状態維持補助上着１であって、状態維持補助上着１は、作業者の腕の位置を、状態維持補助上着１を装着していない状態よりも前方に維持させることを補助することが可能なように形成される。【選択図】図１
2018031087.tif 000002
【特許請求の範囲】
【請求項１】
作業者を所望の姿勢に維持することを助けることが可能な胴部分と、
作業者の腕部を所定の形状に維持することを助けることが可能な腕部分と、
を有する、
架空配電線の間接活線作業を行う際に装着され作業者の手首部まで腕部分が伸びている状態維持補助上着であって、
前記状態維持補助上着は、作業者の腕の位置を、状態維持補助上着を装着していない状態よりも前方に保持させることを補助することが可能なように形成される
状態維持補助上着。
【請求項２】
前記腕部分は、作業者の肘の関節を曲げた状態に維持することによって、作業者の腕の位置を、状態維持補助上着を装着していない状態よりも前方に維持させることを補助する
請求項１に記載の状態維持補助上着。
【請求項３】
前記腕部分は、
前記胴部分側の胴側腕部分と、
前記胴部分側とは反対側の外側腕部分と、
を有し、
前記胴側腕部分は、前記外側腕部分よりも伸縮しにくい材料で形成される
請求項２に記載の状態維持補助上着。
【請求項４】
前記腕部分には、作業者の前腕屈筋群を一周して圧迫する前腕圧迫部を有する
請求項１〜３いずれか１項に記載の状態維持補助上着。
【請求項５】
前記腕部分には、作業者の手首部を一周して圧迫する手首圧迫部を有する
請求項１〜４いずれか１項に記載の状態維持補助上着。
【発明の詳細な説明】
【技術分野】
【０００１】
本発明は、架空配電線の間接活線作業において作業者の姿勢及び腕部の位置を所望の状態に保持を容易にする状態維持補助上着に関する。
【背景技術】
【０００２】
従来、特許文献１に記載されているような、架空配電線の間接活線作業による電線端部の絶縁カバーが開発されている。
【先行技術文献】
【特許文献】
【０００３】
【特許文献１】特開２０１６−６２８４８号公報
【発明の概要】
【発明が解決しようとする課題】
【０００４】
工具を用いて作業者の上側に位置する部分に対して所定の作業を行う場合には、作業者に負担がかかるという問題点があった。この工具を用いて作業者の上側に位置する部分に対して所定の作業を行うものの代表例が、架空配電線の間接活線作業である。
【０００５】
本発明は、架空配電線の間接活線作業において、作業者を正しい姿勢にすることにより、
作業者の負担を低減することができる状態維持補助上着を提供することを目的としている。
【課題を解決するための手段】
【０００６】
本発明の状態維持補助上着は、作業者を所望の姿勢に維持することを助けることが可能な胴部分と、作業者の腕部を所定の形状に維持することを助けることが可能な腕部分と、を有する、架空配電線の間接活線作業を行う際に装着され作業者の手首部まで腕部分が伸びている状態維持補助上着であって、前記状態維持補助上着は、作業者の腕の位置を、状態維持補助上着を装着していない状態よりも前方に保持させることを補助することが可能なように形成される。
【０００７】
好適には、前記腕部分は、作業者の肘の関節を曲げた状態に維持することによって、作業者の腕の位置を、状態維持補助上着を装着していない状態よりも前方に維持させることを補助する。
【０００８】
好適には、前記腕部分は、前記胴部分側の胴側腕部分と、前記胴部分側とは反対側の外側腕部分と、を有し、前記胴側腕部分は、前記外側腕部分よりも伸縮性の低い材料で形成される。
【０００９】
好適には、前記腕部分には、作業者の前腕屈筋群を一周して圧迫する前腕圧迫部を有する。
【００１０】
好適には、前記腕部分には、作業者の手首部を一周して圧迫する手首圧迫部を有する。
【発明の効果】
【００１１】
本発明における状態維持補助上着によって、架空配電線の間接活線作業時における作業者の負担を低減することができる
【図面の簡単な説明】
【００１２】
【図１】状態維持補助上着１の正面側からの説明図である。
【図２】状態維持補助上着１の裏面側からの説明図である。
【図３】状態維持補助上着１を作業者が装着した場合の状態の説明図である。
【発明を実施するための形態】
【００１３】
＜第１の実施形態＞
図１及び図２において、矢印方向は素材として伸びやすい方向を示している。
架空配電線の間接活線作業においては、高所作業車のバケットに作業者が乗り、この作業者が先端に工具が取り付けられた長尺の棒（ホットスティック）の下部を手でもって、手元でこれを操作してこの先端工具で高所の機材の取り付け、取り外し等を行っている。
ホットスティックの先端には重量の重い機材や工具を取り付けており、これを作業者が手で持ち、動かして操作するため、作業者は工具の重さに加えて生じる曲げモーメント力に打ち勝って作業をしなければならない。
また、架空配電線の間接活線作業では、工具の先である程度の精密作業を行わなければならないため、前述の工具の重さ及びモーメント力に対抗して力を出すだけではなく、精密作業の必要性も生じる。
さらに、架空配電線の間接活線作業は、１回だけの作業とは限らず複数回の作業を一日のうちに行わなければならない事態もあり得る。
加えて、作業者は、架空配電線の間接活線作業の際には、手のひらを作業者の体側に向けた状態で、手を前に出した際に、作業者の体側に手のひらを引き寄せた状態（以下、この掌を引き寄せた状態を、「掌引寄せ状態」という。）で維持しなければならない。
【００１４】
そこで、作業者に対して、疲労部位について詳細なヒアリングを行った結果、手首、及び、前腕屈筋群に負担感が高いことを見出した。
そのことを、客観的に確かめるための方法を探求した結果、筋活動（筋疲労）は筋電を測定することによって、代替的に測定可能であることが分かった。具体的には、筋活動が大きい＝筋電の数値が大きい＝強い運動を行っている＝筋疲労があるということを発見した。
そこで、作業者に筋電計を付けてもらった上で、架空配電線の間接活線作業と同じような作業をしてもらって、筋電を測定した。
測定部位は、前腕屈筋群、僧帽筋、前腕二頭筋、前腕三頭筋、親指内側の腱部分とした。
その結果、これらのうちでも特に、前腕屈筋群及び僧帽筋に大きな筋活動が生じていることを発見した。
その為、製品の性能を判断する指標として、前腕屈筋群及び僧帽筋の筋活動の大小を採用することとした。
次に、第三者機関のスポーツ機能学に詳しい研究員と検討した結果、以下の知見を得た。
・人体は疲労すると無意識に他の部位に負荷を逃がす
・大きな筋肉は疲労するのに長い時間を要するので、負荷を大きな筋肉部位に逃がすことは特定部位の疲労軽減といえる
・正しい姿勢も疲労軽減には有効である  （Ａ）
これらを基に、まず手首の負担を軽減するために、掌引寄せ状態を維持できるように、手首を固定するサポータを設けるなどの工夫をした手首のサポータを開発した。
より具体的には、前腕部及び掌部までを覆い、かつ、前腕部に対して掌部側に移動した位置に位置することを補助する（＝掌引寄せ状態を維持しやすい）サポータを開発していた。
しかしながら、このサポータの効果を客観的に測定するために、腕の筋肉の筋電図を測定したところ、このサポータを使用しない場合と比べて、ほとんど効果がないことを発見した。
【００１５】
しかしながら、この手首のサポータに加えて骨盤を矯正するベルトを同時に使用した場合に著しい負担軽減効果があることが、発見された。これは、上述の（Ａ）効果が極めて高いということである。
そのような効果があった理由（（Ａ）が効果的である理由）を検討してみると、以下の理由であると考えられた。
骨盤を矯正するベルトは、骨盤を引き締めることで、体の中心が重心位置に近づくことになる。
それは、腹横筋を使いやすい状態にすることになる。
そのため、荷重や負荷が骨盤にしっかりと乗った状態になる。
その結果、荷重や負荷を無理なく脚部に逃がすことができる。
これは、解りやすいイメージで言うと、骨盤＝土台に負荷や荷重を乗せることができる。
よって、各筋肉が疲労することを抑制することができる。
そして、この様な腰を前に突き出した状態（以下、この状態を「腰反り状態」という）が重要であることが分かった。
さらに、前腕部の疲労を軽減するために、腰反り状態に加えて以下の（ア）〜（ウ）の３つの構造を組み合わせることとした。
（ア）手を前方・上向きに導く構造＋（伸びの異なる生地の組み合わせ  及び／又は  伸びにくい生地の組み合わせ）によって、前腕屈筋群の負荷（荷重）を背中の僧帽筋へ逃がす構造を採用した。なお、伸びにくい生地の組み合わせは、実施形態では、胴側腕部分３３と外側腕部分３４によって実現している。
（イ）握力を補強する目的の前腕屈筋群の緊縛の構造を採用した。なお、前腕屈曲筋群の緊縛は、左前腕圧迫部３０３Ｌ及び右前腕圧迫部３０３Ｒによって実現している。
（ウ）手首部の動きを拘束することによって手首の負荷を軽減する手首保護ベルトの構造を採用した。手首保護ベルトとは左手首圧迫部４Ｌ及び右手首圧迫部４Ｒによって実現している。
より具体的には、以上の（ア）によって、以下の状態を維持できる
（１）上腕部は、胴の真横ではなく、前に出た状態（以下、この状態を「上腕前方状態」という）を維持している。
（２）前腕も、上腕と真っすぐではなく、さらに前に出た状態（以下、この状態を「前腕前方状態」という）を維持している。
さらに、胴部分の腰反り状態を維持する構造も採用して、（Ａ）となるようにしている。
【００１６】
なお、腰反り状態、上腕前方状態、前腕前方状態、掌引寄せ状態の全てに対する維持の補助が可能な状態維持補助上着１が理想であるが、コスト、費用対効果、作成し易さなどの要件から、これらすべてを満たさなくても、本発明の目的である作業者の負担を低減することは十分に可能であると判断している。
以下、この第１の実施形態を説明する。
【００１７】
図１は、状態維持補助上着１の正面側からの説明図である。
図２は、状態維持補助上着１の裏面側からの説明図である。
図３は、状態維持補助上着１を作業者が装着した場合の状態の説明図である。
【００１８】
状態維持補助上着１は、胴部分２と腕部分３とを有する。
胴部分２は、胴中央部分２１４、胴右前下部分２１Ｒ、胴左前下部分２１Ｌ、胴右中央部分２２Ｒ、胴左中央部分２２Ｌ、胴右上部分２３Ｒ、胴左上部分２３Ｌ、胴右首部分２４Ｒ及び胴左首部分２４Ｌを有する（図１参照のこと）。
また、胴部分２は、胴右首部分２４Ｒ及び胴左首部分２４Ｌを有している（図２参照のこと）。
胴右中央部分２２Ｒ、胴左中央部分２２Ｌ、胴右首部分２４Ｒ及び胴左首部分２４Ｌ、は、上下方向の伸び率よりも左右方向の伸び率がかなり小さく形成されている。簡易な言葉を用いて説明すると、胴右中央部分２２Ｒ、胴左中央部分２２Ｌ、胴右首部分２４Ｒ及び胴左首部分２４Ｌは、縦方向にしか伸びないように形成されている。
かつ、胴右首部分２４Ｒ及び胴左首部分２４Ｌは、小さめに形成されている。
これによって、胴部分２を装着した作業者は、胴体を前後左右方向から締め付けることが可能となる。さらに、作業者の肩に位置する胴右首部分２４Ｒ及び胴左首部分２４Ｌが伸ばされていることから、作業者の肩部分は上下に引っ張られることになる。
そのため、作業者は、肩部分を後ろにもっていく姿勢となる。それに伴い肩が後方に位置するため腹部分を突き出した姿勢となる。
これによって、作業者には、腰反り状態を取らせることが可能となり、かつ、この姿勢を維持するための補助を、状態維持補助上着１の胴部分２が行うことが可能となる。
なお、胴部分２の構造は、この構造に限定されず、腰反り状態を取らせることが可能な形状、素材等であればどのようなものであってもよい。
さらになお、状態維持補助上着１の胴部分２と腕部分３はいずれも、作業者の体に密着する形状（大きさ）、素材（伸縮によって体に密着する）によって形成される。
【００１９】
腕部分３は作業者の右手部分に位置する右腕部分３Ｒ、及び、作業者の左手部分に位置する左腕部分３Ｌを有する。
状態維持補助上着１は、現在のところ、左右面対称である。そのため、作業者の右側にあたる部分だけを説明し、作業者の左側にあたる部分は説明を省略する。
【００２０】
右腕部分３Ｒは、右上腕部３２Ｒと右前腕部３１Ｒを有する。
右上腕部３２Ｒは、作業者の右腕の上腕部分にフィットする。
右前腕部３１Ｒは、作業者の右腕の前腕部分にフィットする。
右上腕部３２Ｒは、胴部分２側の右上腕胴側部分３０５Ｒと、その逆側の右上腕外側部分３０４Ｒとを有している。
右前腕部３１Ｒは、胴部分２側の右前腕胴側部分３０２Ｒと、その逆側の右前腕外側部分３０１Ｒと、前腕筋群部を締め付ける右前腕圧迫部３０３Ｒと、を有している。
【００２１】
ここで、右前腕外側部分３０１Ｒと、右上腕外側部分３０４Ｒとを、外側腕部分３４Ｒという。
外側腕部分３４Ｒは、状態維持補助上着１において、胴部分２とは反対側に位置している。
また、右前腕胴側部分３０２Ｒと、右上腕胴側部分３０５Ｒとを、胴側腕部分３３Ｒという。
胴側腕部分３３Ｒは、状態維持補助上着１において、胴部分２側に位置している。
また、外側腕部分３４Ｒは、作業者が状態維持補助上着１を装着した際に、作業者の肘の側に位置する部分である。
逆に、胴側腕部分３３Ｒは、作業者が状態維持補助上着１を装着した際に、作業者の肘とは反対の側に位置する部分である。
なお、右前腕圧迫部３０３Ｒは、作業者の腕を一周する構造であるので、胴部分２側の部分は、肘の内側に位置する。
【００２２】
右前腕圧迫部３０３Ｒは、作業者の前腕の前腕筋群部（肘のすぐ先側の前腕部に存在する筋肉群）の位置に形成されている。
右前腕圧迫部３０３Ｒは、横方向には伸びやすいが長手方向には伸びづらい、ほかの部位と比較した場合より伸縮しにくい材質によって形成される。
これによって、作業者の前腕筋群部が圧迫されることになる。
このような圧迫は、作業者の筋肉に疲労が低減されることが、筋電図等で確認された。
なお、右前腕圧迫部３０３Ｒは、状態維持補助上着１においては、必須ではない。右前腕圧迫部３０３Ｒがあったほうがより好適であるに過ぎない。
【００２３】
胴側腕部分３３Ｒは、横方向には伸びやすいが長手方向には伸びづらい、ほかの部位と比較した場合より伸縮しにくい材質によって形成される。
他方、外側腕部分３４Ｒは、右腕部分３Ｒの長手方向には伸縮するが、短手方向には伸縮しにくい材質によって形成されている。
このような構造によって、状態維持補助上着１を装着した作業者は、前腕を肘とは反対の側に曲げた状態（＝前腕部前方状態）に維持することが補助される構造となっている（図３を参照のこと）。他の表現をすると、右腕部分３Ｒが胴部分２よりも前に出る構造となっている。
さらに、図１及び図２のように、右前腕部３１Ｒと右上腕部３２Ｒとは、真っ直ぐではない構造を有している。より具体的には、右前腕部３１Ｒと右上腕部３２Ｒとの接合部分において右前腕部３１Ｒがより胴部分２側に折れ曲がって形成されている。
なお、補助とは作業者が状態維持補助上着１を装着しない状態よりも、所定の状態を維持するのに少ない筋肉負荷によって維持できることをいう。つまり、完全に固定するようなもの、及び、添え木のように所定の方向に全く動かないようにするようなものではない。
このような構造を有することから、架空配電線の間接活線作業では、作業者への負担が小さくなり、作業者の疲労低減に有効である。
なお、以下の状態の維持の補助についても同じである。
【００２４】
次に、胴部分２と右腕部分３Ｒとの接合であるが、上腕が前に出た状態（＝上腕前方状態）に維持することが補助される構造となっている（図３を参照のこと）。他の表現をすると、右腕部分３Ｒが胴部分２よりも前に出る構造となっている。
その方法は、様々あるが、右腕部分３Ｒの前側の布を少し小さく形成するなどによって上腕前方状態を維持とすることが可能である。
なお、この上腕前方状態の維持の補助のための構造は、前腕部前方状態の補助のための構造よりは必須ではないと判断している。
【００２５】
右腕部分３Ｒには、作業者の手首部分に該当する位置を一周可能な、右手首圧迫部４Ｒが形成されている。
この右手首圧迫部４Ｒは、帯状の形状を有している。この帯状の一端部は右前腕胴側部分３０２Ｒに接続されている。
この右手首圧迫部４Ｒの一方の面には、右第１面ファスナー４１Ｒが形成されている。この右手首圧迫部４Ｒの他方の面には、右第２面ファスナー４２Ｒが形成されている。
右手首圧迫部４Ｒが作業者の手首部（右前腕外側部分３０１Ｒと右前腕胴側部分３０２Ｒの先端側部分）を一周回した際に、右第１面ファスナー４１Ｒと右第２面ファスナー４２Ｒが接合される。
これによって、作業者の手首部の状態（＝掌引寄せ状態）を維持することを補助することが可能となる。
なお、右手首圧迫部４Ｒは、状態維持補助上着１においては、必須ではない。右手首圧迫部４Ｒがあったほうがより好適であるに過ぎない。
【００２６】
以上のように形成した、状態維持補助上着１を被験者に装着してもらって、筋電を定量測定した結果、以下のような結果となった。
被験者が着席した状態で、前腕屈筋群の筋活動が１５〜２５％程度低下した。
被験者が起立した状態で、前腕屈筋群の筋活動が４０％程度低下した。
他方、
被験者が着席した状態で、僧帽筋の筋活動が９〜３７％程度上昇した。
被験者が起立した状態で、僧帽筋の筋活動が３１〜３６％程度上昇した。
この結果は、前腕の負担をより大きな筋肉で疲労しづらい背中に逃がすことができていることが確認できた。
以上により、現在の状態維持補助上着１であっても、十分に、架空配電線の間接活線作業時における作業者の負担を低減することができる。
さらに、研究をかさね最適化していけば、より、効果的な状態維持補助上着１を開発できることが予想される。
【００２７】
＜実施形態の構成及び効果＞
状態維持補助上着１は、作業者を所望の姿勢に維持することを助けることが可能な胴部分２と、作業者の腕部を所定の形状に維持することを助けることが可能な腕部分３（右腕部分３Ｒ、左腕部分３Ｌ）と、を有する、架空配電線の間接活線作業を行う際に装着され作業者の手首部まで腕部分３が伸びている状態維持補助上着１であって、状態維持補助上着１は、作業者の腕の位置を、状態維持補助上着１を装着していない状態よりも前方に維持させることを補助することが可能なように形成される。
このような構成を有することから、作業者が架空配電線の間接活線作業を行う際の負荷を低減することが可能となる。
【００２８】
腕部分３は、作業者の肘の関節を曲げた状態に維持することによって、作業者の腕の位置を、状態維持補助上着１を装着していない状態よりも前方に位置させることを補助する。
このような構成を有することから、作業者が架空配電線の間接活線作業を行う際の負荷を低減することが可能となる。
【００２９】
腕部分３は、胴部分２側の胴側腕部分３３Ｒと、胴部分２側とは反対側の外側腕部分３４Ｒと、を有し、胴側腕部分３３Ｒは、外側腕部分３４Ｒよりも伸縮性の低い材料で形成される。
このような構成を有することから、作業者が架空配電線の間接活線作業を行う際の負荷を低減することが可能となる。
【００３０】
腕部分３には、作業者の前腕屈筋群を一周して圧迫する右前腕圧迫部３０３Ｒ（左前腕圧迫部３０３Ｌ）を有する。
このような構成を有することから、作業者が架空配電線の間接活線作業を行う際の負荷を低減することが可能となる。
【００３１】
腕部分３には、作業者の手首部を一周して圧迫する右手首圧迫部４Ｒ（左手首圧迫部４Ｌ）を有する。
このような構成を有することから、作業者が架空配電線の間接活線作業を行う際の負荷を低減することが可能となる。
【００３２】
本発明の状態維持補助上着を使用される最適であると思われる作業の一例が架空配電線の間接活線作業である。もっとも、本発明はこの用途に限定されるわけではなく、他の様々な作業の用途にも使用可能である。
なお本発明における状態維持補助上着の保持とは、例えば、姿勢の保持、上腕の姿勢の保持、上腕に対する前腕の角度の保持、手首の角度の保持等をいう。
【符号の説明】
【００３３】
１        ：状態維持補助上着
２        ：胴部分
３        ：腕部分
３Ｌ      ：左腕部分
３Ｒ      ：右腕部分
４Ｌ      ：左手首圧迫部
４Ｒ      ：右手首圧迫部
２１Ａ    ：胴中央部分
２１Ｌ    ：胴左前下部分
２１Ｒ    ：胴右前下部分
２２Ｌ    ：胴左中央部分
２２Ｒ    ：胴右中央部分
２３Ｌ    ：胴左上部分
２３Ｒ    ：胴右上部分
２４Ｌ    ：胴左首部分
２４Ｒ    ：胴右首部分
３１Ｒ    ：右前腕部
３２Ｒ    ：右上腕部
３３Ｒ（３３）：胴側腕部分
３４Ｒ（３４）：外側腕部分
４１Ｒ    ：右第１面ファスナー
４２Ｒ    ：右第２面ファスナー
３０１Ｒ  ：右前腕外側部分
３０２Ｒ  ：右前腕胴側部分
３０３Ｌ  ：左前腕圧迫部
３０３Ｒ  ：右前腕圧迫部
３０４Ｒ  ：右上腕外側部分
３０５Ｒ  ：右上腕胴側部分
【図１】
2018031087.tif 000003
【図２】
2018031087.tif 000004
【図３】
2018031087.tif 000005